(57)【要約】【課題】ヘアレンジ、利便性、時間短縮の効果のほかに、組み立てる時間の短縮及び製造コストを削減できる整髪器構造を提供する。【解決手段】整髪器構造は、整髪器本体１及び少なくとも１つの挟設アセンブリ２を備える。挟設アセンブリ２は、弾性を有し、整髪器本体１上に一体射出成形される。挟設アセンブリ２は、波状に起伏する湾曲状である。挟設アセンブリ２の外表面には、補強リブ２２が凸設されている。【選択図】図１
0003169161.tif 000002
【実用新案登録請求の範囲】
【請求項１】
整髪器本体及び少なくとも１つの挟設アセンブリを備える整髪器構造であって、
前記挟設アセンブリは、弾性を有し、前記整髪器本体上に一体射出成形されることを特徴とする整髪器構造。
【請求項２】
前記挟設アセンブリは、波状に起伏する湾曲状であることを特徴とする請求項１に記載の整髪器構造。
【請求項３】
前記挟設アセンブリの外表面には、補強リブが凸設されていることを特徴とする請求項１に記載の整髪器構造。
【考案の詳細な説明】
【技術分野】
【０００１】
本考案は、整髪器構造に関し、特に、ヘアアレンジ効果を有し、操作が非常に容易で時間を短縮することができる整髪器構造に関する。
【背景技術】
【０００２】
従来の装身具は、ヘアピン、ヘアゴム、ヘアコーム、ヘアバンドなど、様々な種類がある。従来の装身具は本体にヘアアレンジの効果がなく、ユーザはヘアアレンジをするときに、ゴムバンドを用いて毛髪を一束づつ括ってアレンジするため、アレンジするとき又はほどくとき不便である上、時間を浪費する虞がある。
【考案の概要】
【考案が解決しようとする課題】
【０００３】
本考案の目的は、ヘアレンジ、利便性、時間短縮の効果のほかに、組み立てる時間の短縮及び製造コストを削減できる整髪器構造を提供することにある。
【課題を解決するための手段】
【０００４】
上記課題を解決するために、本考案の第１の形態によれば、整髪器本体及び少なくとも１つの挟設アセンブリを備える整髪器構造であって、前記挟設アセンブリは、弾性を有し、前記整髪器本体上に一体射出成形されることを特徴とする整髪器構造が提供される。
【０００５】
また、前記挟設アセンブリは、波状に起伏する湾曲状であることが好ましい。
【０００６】
また、前記挟設アセンブリの外表面には、補強リブが凸設されていることが好ましい。
【考案の効果】
【０００７】
本考案の整髪器構造は、ヘアレンジ、利便性、時間短縮の効果のほかに、組み立てる時間の短縮及び製造コストを削減できる。
【図面の簡単な説明】
【０００８】
【図１】本考案の整髪器構造を示す斜視図である。
【図２】本考案の一実施形態による整髪器構造を示す正面図である。
【図３】本考案のもう一つの実施形態による整髪器構造を示す正面図である。
【図４】本考案の一実施形態による整髪器構造を使用するときの状態を示す斜視図である。
【図５】本考案の一実施形態による整髪器構造を使用するときの状態を示す斜視図である。
【考案を実施するための形態】
【０００９】
図１を参照する。図１に示すように、本考案の整髪器構造は、整髪器本体１及び少なくとも一つの挟設アセンブリ２を有する。挟設アセンブリ２は、整髪器本体１と射出成形して形成され、弾性を有する。本考案の実施形態では、整髪器本体１は、ヘアバンドである。
【００１０】
好ましくは、挟設アセンブリ２本体は、装飾造形を有し、図２及び図３に示すように、波状に起伏する湾曲状であり、さらに、挟設アセンブリ２は、さらに弾力を有し、挟合する効果を有する。
【００１１】
好ましくは、整髪器本体１は、挟設アセンブリ２が配置される箇所に対応する表面に粗面を有する（図示せず）。粗面は、複数のリブにより形成され、粗面により、毛髪と整髪器本体１との間の摩擦を増加させ、挟設アセンブリ２が毛髪を挟合し、固定する効果を高める。
【００１２】
好ましくは、挟設アセンブリ２は、整髪器本体１の表面に設けられた櫛歯２１（図１及び図２参照）に対応し、毛髪と整髪器本体１との間の摩擦を増加させ、挟設アセンブリ２が毛髪を挟合し、固定する効果を高める。
【００１３】
挟設アセンブリ２は表面に補強リブ２２を凸設する。補強リブ２２は、挟設アセンブリ２本体の形状に沿って起伏するように設けられ、挟設アセンブリ２の構造を強化する。
【００１４】
図４及び図５を参照する。図４及び図５に示すように、ユーザは、まず整髪器本体１を毛髪に固定し、一部の毛髪は残しておく。続いて、整髪器本体１により固定しなかった毛髪（残しておいた一部の毛髪）を手で掴み、ねじって又はねじらず直接整髪器本体１と挟設アセンブリ２との間に置き、挟設アセンブリ２により挟設し、毛髪を固定することにより、ヘアアレンジの効果がある。
【００１５】
上述した説明から本考案は、射出成形されて形成された整髪器本体と挟設群と、により容易にヘアアレンジが可能であり、また、本考案の整髪器は、組み立てる必要がなく、大幅に製造コストが削減できるため競争力を高めることができる。
【００１６】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１７】
１  整髪器本体
２  挟設アセンブリ
２１  櫛歯
２２  補強リブ
【図１】
0003169161.tif 000003
【図２】
0003169161.tif 000004
【図３】
0003169161.tif 000005
【図４】
0003169161.tif 000006
【図５】
0003169161.tif 000007
【手続補正書】
【提出日】平成23年5月16日(2011.5.16)
【手続補正１】
【補正対象書類名】実用新案登録請求の範囲
【補正対象項目名】全文
【補正方法】変更
【補正の内容】
【実用新案登録請求の範囲】
【請求項１】
全体形状がＣ字形を呈する整髪器本体及び前記整髪器本体の外周側の周面に設けた少なくとも１つの挟設アセンブリを備える整髪器構造であって、
前記挟設アセンブリは、毛髪を挟合して固定し得るように弾性を有する素材で、前記整髪器本体上に一体射出成形されることを特徴とする整髪器構造。
【請求項２】
前記挟設アセンブリは円弧状に湾曲していて、該挟設アセンブリの弾性変形を許容するように、該挟設アセンブリの一端が前記整髪器本体に接続されていることを特徴とする請求項１に記載の整髪器構造。
【請求項３】
前記挟設アセンブリの外表面には、該挟設アセンブリの長手方向に沿って補強リブが凸設されていることを特徴とする請求項１に記載の整髪器構造。
【手続補正２】
【補正対象書類名】明細書
【補正対象項目名】０００４
【補正方法】変更
【補正の内容】
【０００４】
上記課題を解決するために、本考案の第１の形態によれば、全体形状がＣ字形を呈する整髪器本体及び前記整髪器本体の外周側の周面に設けた少なくとも１つの挟設アセンブリを備える整髪器構造であって、前記挟設アセンブリは、毛髪を挟合して固定し得るように弾性を有する素材で、前記整髪器本体上に一体射出成形されることを特徴とする整髪器構造が提供される。
【手続補正３】
【補正対象書類名】明細書
【補正対象項目名】０００５
【補正方法】変更
【補正の内容】
【０００５】
また、前記挟設アセンブリは、円弧状に湾曲していて、該挟設アセンブリの弾性変形を許容するように、該挟設アセンブリの一端が前記整髪器本体に接続されていることが好ましい。
【手続補正４】
【補正対象書類名】明細書
【補正対象項目名】０００６
【補正方法】変更
【補正の内容】
【０００６】
また、前記挟設アセンブリの外表面には、該挟設アセンブリの長手方向に沿って補強リブが凸設されていることが好ましい。